(57)【特許請求の範囲】
【請求項１】
空気吹出口を備えた複数の空調機の風向及び風量のうちの少なくとも１つを制御する制御機器であって、
各空調機それぞれの配置を示す配置情報と、各空調機それぞれの機能を示す機能情報と、を記憶する記憶部と、
前記配置情報を含むレイアウト画面を表示する表示部と、
２つ以上の前記空気吹出口から吹き出される風の到達位置を前記レイアウト画面に対応づけて指定する操作を受け付ける入力部と、
前記入力部が受け付けた前記到達位置の情報と前記配置情報と前記機能情報とをもとに、２つ以上の前記空気吹出口の風向及び風量のうちの少なくとも１つを制御する制御部と、を備えた制御機器。
【請求項２】
前記制御部は、
前記到達位置の情報と前記配置情報と前記機能情報とをもとに、２つ以上の前記空気吹出口における制御内容を設定し、設定した制御内容を示す風情報を前記配置情報に対応づけて前記表示部に表示させるものである請求項１に記載の制御機器。
【請求項３】
前記制御部は、
各空気吹出口のそれぞれから吹き出される風の到達範囲の情報を前記レイアウト画面に含めて前記表示部に表示させるものである請求項１又は２に記載の制御機器。
【請求項４】
前記制御部は、
前記到達範囲の情報と前記到達位置の情報との位置関係に応じて、２つ以上の前記空気吹出口の風向及び風量のうちの少なくとも１つを制御するものである請求項３に記載の制御機器。
【請求項５】
前記制御部は、
前記到達範囲の情報を台形状の領域として前記表示部に表示させるものである請求項３又は４に記載の制御機器。
【請求項６】
前記到達位置の情報は、始点と終点とを含むひと繋がりの軌跡の情報である請求項３〜５の何れか一項に記載の制御機器。
【請求項７】
前記制御部は、
前記軌跡の情報が、前記始点と前記終点とが一致する環状の情報であった場合、当該環状の内部を対象として、２つ以上の前記空気吹出口の風向及び風量のうちの少なくとも１つを制御するものである請求項６に記載の制御機器。
【請求項８】
前記制御部は、
前記軌跡の情報のうち、前記到達範囲の情報と重なるデータを分断データとして抽出し、抽出した分断データをもとに、２つ以上の前記空気吹出口の風向及び風量のうちの少なくとも１つを制御するものである請求項６又は７に記載の制御機器。
【請求項９】
複数の部屋のそれぞれに、一台又は二台以上の前記空調機が設けられており、
前記記憶部は、
各部屋をゾーンで区切ったゾーン情報をさらに記憶しており、
前記制御部は、
前記ゾーン情報をもとに前記軌跡の情報が２以上の部屋にまたがると判定した場合、前記軌跡の情報から前記始点を含む部屋内の部分以外を削除した上で前記分断データを抽出するものである請求項８に記載の制御機器。
【請求項１０】
複数の部屋のそれぞれに、一台又は二台以上の前記空調機が設けられており、
前記記憶部は、
各部屋をゾーンで区切ったゾーン情報をさらに記憶しており、
前記制御部は、
前記ゾーン情報をもとに前記軌跡の情報が２以上の部屋にまたがると判定した場合、前記軌跡の情報の前記始点が位置する前記到達範囲の情報に対応する空気吹出口の送風状態を、前記軌跡の情報と重なる他の前記到達範囲の情報のそれぞれに対応する空気吹出口の送風状態に反映させるものである請求項６〜８の何れか一項に記載の制御機器。
【請求項１１】
前記制御部は、
前記ゾーン情報を前記レイアウト画面に含めて前記表示部に表示させるものである請求項９又は１０に記載の制御機器。
【請求項１２】
前記制御部は、
前記始点が位置する前記到達範囲の情報に対応する前記空気吹出口からの送風が停止している場合、前記軌跡の情報と重なる全ての前記到達範囲の情報に対応する前記空気吹出口の送風状態を運転状態にし、
前記始点が位置する前記到達範囲の情報に対応する前記空気吹出口からの送風が行われている場合、前記軌跡の情報と重なる全ての前記到達範囲の情報に対応する前記空気吹出口の送風状態を停止状態にするものである請求項６〜１１の何れか一項に記載の制御機器。
【請求項１３】
前記制御部は、
前記入力部において前記始点での長押し操作があった場合、前記始点の箇所に対応する前記空気吹出口の風向及び風量のうちの少なくとも１つを制御するものである請求項６〜１２の何れか一項に記載の制御機器。
【請求項１４】
前記入力部と前記表示部とは、互いに積層されてタッチパネルを構成している請求項１〜１３の何れか一項に記載の制御機器。
【請求項１５】
複数の空調機と、
前記請求項１〜１４の何れか一項に記載の制御機器と、を備えた空調システム。
【請求項１６】
複数の空調機と、
複数の前記空調機を統括的に制御する集中管理装置と、
前記集中管理装置と有線又は無線により通信する請求項１〜１４の何れか一項に記載の制御機器と、を備え、
前記制御部は、
前記集中管理装置を介して複数の前記空調機を制御するものである空調システム。
【請求項１７】
複数の前記空調機のうちの少なくとも１つは、２つ以上の前記空気吹出口を有している請求項１５又は１６に記載の空調システム。
【請求項１８】
各空調機は、それぞれ、上下方向の風の向きを調整する上下フラップと、左右方向の風の向きを調整する左右ルーバと、を有しており、
前記制御部は、
前記空気吹出口の風向を調整する際、前記上下フラップ及び前記左右ルーバのうちの少なくとも１つの角度を調整するものである請求項１５〜１７の何れか一項に記載の空調システム。
【請求項１９】
各空調機は、それぞれ、前記空気吹出口の風量を調整する送風機を有しており、
前記制御部は、
前記空気吹出口の風量を調整する際、前記送風機の回転数を調整するものである請求項１５〜１８の何れか一項に記載の空調システム。
【発明の詳細な説明】
【技術分野】
【０００１】
本発明は、空調機を操作し管理する制御機器及び空調システムに関する。
【背景技術】
【０００２】
従来から、タッチパネルなどのポインティングデバイスを備え、空調機を操作し管理することのできる制御機器が知られている（例えば、特許文献１及び２参照）。特許文献１の制御機器は、１台の室内機が設置された空間を示すレイアウト画面にユーザがタッチ操作を行うと、タッチされた位置等に応じて、室内機から吹き出される風の向きを設定するようになっている。また、特許文献２の制御機器は、４つの空気吹出口を有する室内機の設置位置を含むレイアウト画面において、各空気吹出口から吹き出される風の向きを、それぞれ個別に調整できるようになっている。
【先行技術文献】
【特許文献】
【０００３】
【特許文献１】特許第５８３６７４１号公報
【特許文献２】特許第４７１５９４７号公報
【発明の概要】
【発明が解決しようとする課題】
【０００４】
しかしながら、特許文献１及び２のような従来の制御機器は、一度の操作で、一台の空調機がもつ１つの空気吹出口の風向を調整することしかできない。すなわち、従来の制御機器では、複数台の空調機の風向を調整する場合、空調機ごと或いは空気吹出口ごとに行う必要があることから、複数回の操作が必要となるため、操作が煩雑となり、利便性に欠けるという課題がある。【０００５】
本発明は、上記のような課題を解決するためになされたものであり、複数台の空調機それぞれの風向の一括操作を実現する操作性に優れた制御機器及び空調システムを提供することを目的とする。
【課題を解決するための手段】
【０００６】
本発明に係る制御機器は、空気吹出口を備えた複数の空調機の風向及び風量のうちの少なくとも１つを制御する制御機器であって、各空調機それぞれの配置を示す配置情報と、各空調機それぞれの機能を示す機能情報と、を記憶する記憶部と、配置情報を含むレイアウト画面を表示する表示部と、２つ以上の空気吹出口から吹き出される風の到達位置をレイアウト画面に対応づけて指定する操作を受け付ける入力部と、入力部が受け付けた到達位置の情報と配置情報と機能情報とをもとに、２つ以上の空気吹出口の風向及び風量のうちの少なくとも１つを制御する制御部と、を備えたものである。【０００７】
本発明に係る空調システムは、複数の空調機と、上記の制御機器と、を備えたものである。
また、本発明に係る空調システムは、複数の空調機と、複数の空調機を統括的に制御する集中管理装置と、集中管理装置と有線又は無線により通信する上記の制御機器と、を備え、制御部は、集中管理装置を介して複数の空調機を制御するものである。
【発明の効果】
【０００８】
本発明によれば、２つ以上の空気吹出口から吹き出される風の到達位置をレイアウト画面に対応づけて指定する操作を受け付けることにより、一度の操作で複数の空気吹出口から吹き出される風を制御することができるため、複数の空気吹出口に対する一括での風向制御及び風量制御を実現することができる。
【図面の簡単な説明】
【０００９】
【図１】本発明の実施の形態１に係る空調システムの構成を例示するブロック図である。
【図２】図１の集中管理装置の機能的構成と、室外機及び室内機の各アクチュエータとを例示したブロック図である。
【図３】図２の表示部に表示されるレイアウト画面を例示した説明図である。
【図４】図３のアイコンと、アイコンの１つの空気吹出口に対応する到達範囲の情報とを示す説明図である。
【図５Ａ】図３のレイアウト画面の一部を拡大した状態において、ユーザの操作の様子を示す説明図である。
【図５Ｂ】図５Ａのレイアウト画面を介して入力された軌跡情報を示す説明図である。
【図５Ｃ】図５Ｂの軌跡情報から抽出した分断データを示す説明図である。
【図５Ｄ】図５Ｃの分断データをもとに作成された風情報を示す説明図である。
【図６】図３のレイアウト画面の一部を拡大した状態において、ユーザの操作の様子を示す他の説明図である。
【図７Ａ】図３のレイアウト画面の一部を拡大した状態において、ユーザが２つのアイコンを含む環状の軌跡情報を入力した場合を例示した説明図である。
【図７Ｂ】図７Ａに示す軌跡情報をもとに作成された風情報を示す説明図である。
【図８Ａ】図３のレイアウト画面の一部を拡大した状態において、ユーザが１つのアイコンを含む環状の軌跡情報を入力した場合を例示した説明図である。
【図８Ｂ】図８Ａに示す軌跡情報をもとに作成された風情報を示す説明図である。
【図９Ａ】図３のレイアウト画面の一部を拡大した状態において、ユーザがアイコンを１つも含まない環状の軌跡情報を入力した場合を例示した説明図である。
【図９Ｂ】図９Ａに示す軌跡情報をもとに作成された風情報を示す説明図である。
【図１０】本発明の実施の形態１の変形例１−１に係る空調システムのレイアウト画面上での入力操作の他の例を示す説明図である。
【図１１】本発明の実施の形態２に係る集中管理装置の記憶部が記憶するゾーン情報を例示する説明図である。
【図１２Ａ】本発明の実施の形態２に係る集中管理装置の表示部に表示されるレイアウト画面を例示した説明図である。
【図１２Ｂ】図１２Ａの軌跡情報から抽出した分断データを示す説明図である。
【図１２Ｃ】図１２Ｂの分断データをもとに作成された風情報を示す説明図である。
【図１３】本発明の実施の形態２の変形例２−１に係る空調システムのレイアウト画面上での入力操作の例を示す説明図である。
【図１４Ａ】本発明の実施の形態３に係る集中管理装置のレイアウト画面に対する、ユーザの長押しを伴う操作を示す説明図である。
【図１４Ｂ】図１４Ａの操作による風情報の変化を示す説明図である。
【図１５Ａ】本発明の実施の形態３に係る集中管理装置のレイアウト画面に対するユーザの操作を示す説明図である。
【図１５Ｂ】図１５Ａの操作による風情報の変化を示す説明図である。
【図１６Ａ】本発明の実施の形態３に係る集中管理装置のレイアウト画面に対する、ユーザの長押しを伴う他の操作を示す説明図である。
【図１６Ｂ】図１６Ａの操作による風情報の変化を示す説明図である。
【図１７Ａ】本発明の実施の形態３に係る集中管理装置のレイアウト画面に対する、ユーザの長押しを伴う別の操作を示す説明図である。
【図１７Ｂ】図１７Ａの操作による風情報の変化を示す説明図である。
【図１８Ａ】本発明の実施の形態３に係る集中管理装置のレイアウト画面に対する、ユーザの長押しを伴うその他の操作を示す説明図である。
【図１８Ｂ】図１８Ａの操作による風情報の変化を示す説明図である。
【図１９】本発明の実施の形態４の空調システムのリモートコントローラの機能的構成を例示したブロック図である。
【図２０】本発明の実施の形態５に係る空調システムの構成を例示するブロック図である。
【図２１】図２０の情報端末の機能的構成を例示したブロック図である。
【発明を実施するための形態】
【００１０】
実施の形態１．
図１は、本発明の実施の形態１に係る空調システムの構成を例示するブロック図である。空調システム１０は、図１に示すように、集中管理装置１００と、室外機２００Ａと、室外機２００Ｂと、６台の室内機３００と、リモートコントローラ４００Ａと、リモートコントローラ４００Ｂと、換気機器５００と、を有している。
【００１１】
図１の例において、集中管理装置１００は、通信線１１を介して、室外機２００Ａ、室外機２００Ｂ、及び換気機器５００に接続されている。つまり、集中管理装置１００と、室外機２００Ａと、室外機２００Ｂと、換気機器５００とは、互いに通信が可能な状態となっている。
【００１２】
室外機２００Ａは、通信線１２を介して、３台の室内機３００に接続されており、室外機２００Ａと各室内機３００とは、互いに通信が可能な状態となっている。室外機２００Ｂは、通信線１３を介して、３台の室内機３００及びリモートコントローラ４００Ｂに接続されており、室外機２００Ｂと、各室内機３００と、リモートコントローラ４００Ｂとは、互いに通信が可能な状態となっている。リモートコントローラ４００Ａは、通信線１４を介して、室外機２００Ａに接続された室内機３００のうちの１台と接続されている。６台の室内機３００は、同一の空調対象空間に設けてもよいし、１台ずつ又は複数台ずつ、異なる空調対象空間に設けるようにしてもよい。
【００１３】
室外機２００Ａ及び２００Ｂは、それぞれ、圧縮機２２０（図１では図示せず）と室外熱交換器（図示せず）とを有している。各室内機３００は、それぞれ、減圧装置３２０（図１では図示せず）と室内熱交換器（図示せず）とを有している。圧縮機２２０は、例えばインバータによって駆動される圧縮機モータ（図示せず）を有しており、冷媒を圧縮するものである。室外熱交換器は、例えばフィンアンドチューブ型熱交換器からなり、冷媒と外気との間で熱交換させるものである。減圧装置３２０は、例えば電子膨張弁からなり、冷媒を膨張させて減圧するものである。室内熱交換器は、例えばフィンアンドチューブ型熱交換器からなり、冷媒と空調対象空間内の空気との間で熱交換させるものである。
【００１４】
すなわち、室外機２００Ａと３台の室内機３００とは、圧縮機２２０、室外熱交換器、減圧装置３２０、及び室内熱交換器が冷媒配管を介して接続されることにより、冷媒回路を形成している。同様に、室外機２００Ｂと３台の室内機３００とは、圧縮機２２０、室外熱交換器、減圧装置３２０、及び室内熱交換器が冷媒配管を介して接続されることにより、冷媒回路を形成している。つまり、各室内機３００は、それぞれ、冷媒配管によって接続された室外機２００と連携して、空調対象空間の空気の温度、湿度、及び清浄度などといった空気環境を調整するものである。以降では、室外機２００Ａと室外機２００Ｂとを室外機２００と総称する。
【００１５】
また、各室内機３００は、それぞれ、空気吹出口から吹き出される風の強さ、すなわち空気吹出口の風量を調整する送風機３３０（図１では図示せず）を有している。送風機３３０は、室内熱交換器に付設され、室内熱交換器に風を送るものである。送風機３３０は、何れも図示しないが、例えばインバータにより駆動されるファンモータと、ファンモータを動力源として回転し、室内熱交換器に送風するファンと、を有している。
【００１６】
さらに、各室内機３００は、それぞれ、空気を吸い込む空気吸込口（図示せず）と、空気を吹き出す空気吹出口（図示せず）と、を有している。そして、各室内機３００は、それぞれ、例えばサーミスタからなり、空気吸込口から吸い込まれる空気の温度を計測する吸込温度センサ（図示せず）を有している。また、各室内機３００は、それぞれ、空気吹出口から吹き出す風の向き、すなわち空気吹出口の風向を調整する風向調整機構（図示せず）を有している。
【００１７】
本実施の形態１において、風向調整機構は、図１では何れも図示しないが、上下方向の風の向きを調整する上下フラップ３４０と、上下フラップ３４０を駆動させる上下駆動部３４０ａと、左右方向の風の向きを調整する左右ルーバ３５０と、左右ルーバ３５０を駆動させる左右駆動部３５０ａと、を有している。上下駆動部３４０ａ及び左右駆動部３５０ａは、例えばステッピングモータにより構成される。
【００１８】
室外機２００Ａ及び２００Ｂは、それぞれ、圧縮機２２０などのアクチュエータの動作を制御する室外制御部２１０を有している。各室内機３００は、それぞれ、送風機などのアクチュエータの動作を制御する室内制御部３１０を有している。
【００１９】
室外制御部２１０は、集中管理装置１００、各室内制御部３１０、及びリモートコントローラ４００Ａ及び４００Ｂとの通信を行う機能を有している。また、室外機２００Ａの室外制御部２１０と、室外機２００Ｂの室外制御部２１０とは、互いに通信が行えるようになっている。室内制御部３１０は、集中管理装置１００、各室外制御部２１０、及びリモートコントローラ４００Ａ及び４００Ｂとの通信を行う機能を有している。
【００２０】
各室外制御部２１０は、それぞれ、集中管理装置１００、リモートコントローラ４００Ａ、又はリモートコントローラ４００Ｂからの制御信号に応じて、自身を内包する室外機２００Ａ又は室外機２００Ｂの動作を制御するものである。各室内制御部３１０は、それぞれ、集中管理装置１００、リモートコントローラ４００Ａ、又はリモートコントローラ４００Ｂからの制御信号に応じて、自身を内包する室内機３００の動作を制御するものである。
【００２１】
リモートコントローラ４００Ａは、室外機２００Ａと、室外機２００Ａに接続された３台の室内機３００と、を操作し管理するためのものである。ユーザは、リモートコントローラ４００Ａを操作することにより、室外機２００Ａに接続された各室内機３００の風向、風量、及び設定温度などを調整することができる。リモートコントローラ４００Ｂは、室外機２００Ｂと、室外機２００Ｂに接続された３台の室内機３００と、を操作し管理するためのものである。ユーザは、リモートコントローラ４００Ｂを操作することにより、室外機２００Ｂに接続された各室内機３００の風向、風量、および設定温度などを調整することができる。もっとも、リモートコントローラ４００Ａから、室外機２００Ｂ及び室外機２００Ｂに接続された各室内機３００の操作及び管理が行えるようにしてもよい。同様に、リモートコントローラ４００Ｂから、室外機２００Ａ及び室外機２００Ａに接続された各室内機３００の操作及び管理が行えるようにしてもよい。以降では、リモートコントローラ４００Ａとリモートコントローラ４００Ｂとをリモートコントローラ４００と総称する。
【００２２】
換気機器５００は、空調対象空間の空気と外気とを入れ替える機器である。換気機器５００は、空気を吹き出す空気吹出口（図示せず）と、内部に設けられた各種アクチュエータの動作を制御する換気制御部５１０と、を有している。換気制御部５１０は、少なくとも集中管理装置１００との通信を行う機能を有している。換気制御部５１０は、集中管理装置１００からの制御信号に応じて、換気機器５００の動作を制御するものである。
【００２３】
ここで、各室内機３００及び換気機器５００は、それぞれ、本発明の「空調機」に相当する。そのため、以下の説明では、各室内機３００及び換気機器５００を総称する場合は「空調機」という。
【００２４】
図１では、集中管理装置１００に、室外機２００、室内機３００、リモートコントローラ４００、及び換気機器５００といった設備機器が接続されている場合を例示しているが、これに限定されるものではない。例えば、集中管理装置１００には、本発明の「空調機」として、室内機の機能と室外機の機能とを組み合わせた一体型の空調機、空気中に浮遊する粉塵などを除去する空気清浄機、又は空調対象空間の空気を加湿する加湿器などが接続されていてもよい。また、集中管理装置１００には、給湯器、床暖房、テレビ、デジタルテレビ、ＤＶＤレコーダ、ステレオ、及び照明器具などの設備機器が接続され、これらが集中管理装置１００を介して操作されるようにしてもよい。
【００２５】
図２は、図１の集中管理装置の機能的構成と、室外機及び室内機の各アクチュエータとを例示したブロック図である。室外機２００Ａと室外機２００Ｂとは同様に構成されており、各室内機３００はそれぞれ同様に構成されているため、図２では、説明の便宜上、室外機２００Ａの内部構成と１台の室内機３００の内部構成とを例示している。
【００２６】
集中管理装置１００は、複数の空調機から吹き出される風の向き及び強さのうちの少なくとも１つを制御するものである。集中管理装置１００は、本発明の「制御機器」に相当する。集中管理装置１００は、図２に示すように、制御部１１０と、通信部１２０と、入力部１３０と、表示部１４０と、記憶部１５０と、を有している。
【００２７】
通信部１２０は、室外制御部２１０、室内制御部３１０、及び換気制御部５１０との間で通信を行うものである。通信部１２０は、専用通信線又はＬＡＮインタフェースなどの任意のネットワークインターフェイスにより構成することができる。
【００２８】
表示部１４０は、例えば液晶ディスプレイ（ＬＣＤ：ｌｉｑｕｉｄ  ｃｒｙｓｔａｌ  ｄｉｓｐｌａｙ）からなり、制御部１１０により制御されて、各空調機それぞれの配置を示す配置情報を含むレイアウト画面、各設備機器の動作状態の情報、又は各設備機器それぞれの操作用の操作画面などを表示するものである。
【００２９】
入力部１３０は、各設備機器に対する操作をユーザが入力するためのインタフェースである。入力部１３０は、ユーザによる入力操作を受け付け、入力操作の内容に応じた信号を制御部１１０へ出力するものである。入力部１３０は、例えば、操作対象となる設備機器を選択する操作、及び選択した設備機器の制御内容を設定する操作を受け付けることができる。また、入力部１３０は、複数の空調機の風向操作を一括で受け付けることができる。すなわち、入力部１３０は、２つ以上の空気吹出口から吹き出される風の到達位置をレイアウト画面に対応づけて指定する操作を受け付けることができる。
【００３０】
本実施の形態１において、入力部１３０と表示部１４０とは、互いに積層されてタッチパネルを構成している。すなわち、入力部１３０は、ユーザによってタッチされた位置を検出し、検出した位置の情報を制御部１１０へ出力するようになっている。
【００３１】
記憶部１５０は、レイアウト情報１６０、機能情報１７０、及び動作情報１８０を記憶するものである。レイアウト情報１６０は、空調機が配置された空調対象空間のレイアウト図の画像情報、レイアウト図の縮尺の情報、及び設備機器の位置情報を含んでいる。設備機器の位置情報には、各空調機それぞれの配置を示す配置情報が含まれる。また、本実施の形態１において、設備機器の位置情報には、各空気吹出口のそれぞれから吹き出される風の到達範囲の情報Ｗｒが含まれる。
【００３２】
各設備機器は、それぞれの機能を示す機能情報を保持している。すなわち、機能情報１７０は、各設備機器それぞれの機能を示す機能情報が集約されたものである。ここで、空調機の機能情報は、利用可能な運転モード、風向調整又は風量調整などの機能の有無、空調機の設置角度、吹き出し口の数、吹き出し口の方向、水平方向範囲角、最大風到達距離などを示す情報である。
【００３３】
室内機３００の場合、利用可能な運転モードには、冷房運転モード、暖房運転モード、除霜運転モードなどがある。空調機の設置角度の情報は、予め設定された基準の方角に対する、空調機の基準となる向きの角度を示す情報である。空調機の基準となる向きは、空調機が複数の空気吹出口を備えている場合、例えば、ある空気吹出口から真っ直ぐに吹き出される風の方向に設定される。一例として、基準の方角が北に設定された場合に、設置された空調機の基準となる向きが北東であれば、空調機の設置角度は４５°となる。つまり、室内機３００が複数の空気吹出口を有する場合、室内機３００の設置角度は、例えば任意の空気吹出口を基準として決定される。なお、機能情報１７０は、空調機の設置角度の情報を含んでいなくてもよい。
【００３４】
吹き出し口の数の情報は、例えば、室内機３００に設けられている空気吹出口の数を示す情報である。吹き出し口の方向の情報は、レイアウト図における空気吹出口の方向、すなわち、レイアウト図における空気吹出口の水平方向の角度を示す情報である。例えば、室内機３００が、天井埋込カセット形２方向の室内機であり、２つの空気吹出口が対向する位置に配置されている場合、一方の空気吹出口の方向を基準すなわち「０°」とすると、他方の空気吹出口の方向は「１８０°」となる。
【００３５】
水平方向範囲角の情報は、例えば、室内機３００の空気吹出口から吹き出される空気が到達する水平方向の角度の範囲を示す情報である。最大風到達距離の情報は、例えば、室内機３００の空気吹出口から吹き出される空気が到達する距離の最大値を示す情報である。
【００３６】
動作情報１８０は、各設備機器それぞれの動作状態を示す情報である。動作情報１８０は、各設備機器それぞれの、停止中を含む運転状態の情報、運転モードの情報、風向及び風量の情報などを含んでいる。
【００３７】
制御部１１０は、複数の空調機を含む各設備機器の動作を制御するものである。すなわち、制御部１１０は、通信部１２０を介して受信した動作情報１８０、又は入力部１３０から入力した操作内容を示す信号に基づいて、各設備機器の制御を行うものである。また、制御部１１０は、通信部１２０を介して、各設備機器それぞれの動作状態を示す情報を受信し、受信した情報を記憶部１５０に動作情報１８０として記憶させるようになっている。さらに、制御部１１０は、動作情報１８０を用いて、各設備機器が運転中であるか停止中であるかといった情報、及び空調機の風向の設定状態の情報などを、表示部１４０に表示させるようになっている。また、制御部１１０は、各設備機器それぞれから機能情報を取得し、取得した各機能情報を機能情報１７０として記憶部１５０に格納するものである。
【００３８】
本実施の形態１において、制御部１１０は、各室内機３００及び換気機器５００に対し、運転の開始及び停止、運転モードの設定及び切り替え、風向及び風量の調整などに関する制御を行うものである。制御部１１０は、入力部１３０が受け付けた到達位置の情報と、配置情報と、機能情報１７０とをもとに、２つ以上の空気吹出口の風向を制御することができる。
【００３９】
制御部１１０は、表示部１４０にレイアウト画面を表示させるものである。本実施の形態１において、制御部１１０は、レイアウト情報１６０を用いて、表示部１４０に、レイアウト図と、設備機器の外観を示す情報と、を含むレイアウト画面を表示させるものである。
【００４０】
また、制御部１１０は、到達位置の情報と配置情報と機能情報１７０とをもとに、２つ以上の空気吹出口の風向及び風量のうちの少なくとも１つの制御内容を設定し、設定した制御内容を示す風情報Ｗｊを配置情報に対応づけて表示部１４０に表示させるものである。さらに、制御部は、各空気吹出口のそれぞれから吹き出される風の到達範囲の情報Ｗｒをレイアウト画面に含めて表示部１４０に表示させるものである。そして、制御部１１０は、到達範囲の情報Ｗｒと到達位置の情報との位置関係に応じて、２つ以上の空気吹出口の風向及び風量のうちの少なくとも１つを制御するものである。
【００４１】
ここで、制御部１１０の各機能は、回路デバイスなどのハードウェアで実現することもできるし、例えば、マイコン、ＤＳＰ（Ｄｉｇｉｔａｌ  Ｓｉｇｎａｌ  Ｐｒｏｃｅｓｓｏｒ）、又はＣＰＵ（Ｃｅｎｔｒａｌ  Ｐｒｏｃｅｓｓｉｎｇ  Ｕｎｉｔ）等の演算装置上で実行されるソフトウェアとして実現することもできる。また、記憶部１５０は、ＨＤＤ（Ｈａｒｄ  Ｄｉｓｋ  Ｄｒｉｖｅ）、又はフラッシュメモリ等のＰＲＯＭ（Ｐｒｏｇｒａｍｍａｂｌｅ  Ｒｅａｄ  Ｏｎｌｙ  Ｍｅｍｏｒｙ）等により構成することができる。
【００４２】
図３は、図２の表示部に表示されるレイアウト画面を例示した説明図である。レイアウト画面Ｌは、レイアウト図上に各設備機器を配置した状態となっている。制御部１１０は、レイアウト情報１６０と、機能情報１７０と、動作情報１８０とを用いて、表示部１４０にレイアウト画面Ｌを表示させる。
【００４３】
レイアウト画面Ｌには、室内機３００の外観を示す情報であるアイコンＳと、各室内機３００それぞれの各空気吹出口のそれぞれから吹き出される風の到達範囲の情報Ｗｒと、各空気吹出口それぞれの風向を示す風情報Ｗｊと、が表示されている。また、レイアウト画面Ｌには、レイアウト図として、部屋Ｒ１〜Ｒ５、廊下Ｃ、各部屋間又は各部屋と廊下Ｃとの間の仕切りＫ、及びドアＴが表示されている。
【００４４】
つまり、レイアウト画面Ｌに対応するフロアには、部屋Ｒ１〜Ｒ５と廊下Ｃとがあり、部屋Ｒ１には、図１の例のような６台の室内機３００が設けられている。また、部屋Ｒ２には２台の室内機３００が設けられ、部屋Ｒ３には１台の室内機３００が設けられ、部屋Ｒ４には２台の室内機３００が設けられ、部屋Ｒ５には１台の室内機３００が設けられている。
【００４５】
制御部１１０は、レイアウト情報１６０を用いて、表示部１４０にレイアウト図とアイコンＳとを表示させるものである。また、制御部１１０は、ユーザが設定可能な風の到達範囲の情報Ｗｒを表示部１４０に表示させるものである。さらに、制御部１１０は、動作情報１８０を用いて、表示部１４０に風情報Ｗｊを表示させるものである。風情報Ｗｊは、現在設定されている風向を示す情報である。
【００４６】
例えば、運転中は室内機３００のアイコンＳを白色で表示し、停止中は室内機３００のアイコンＳを黒色で表示するといった具合に、一見して、室内機３００の運転状態を確認することができるようにするとよい。なお、図３では、運転中は室内機３００のアイコンＳを白色で表示し、停止中は室内機３００のアイコンＳに網目模様を付している。以下の各図においても同様である。
【００４７】
また、例えば、到達範囲の情報Ｗｒを灰色で表示し、風情報Ｗｊを緑色で表示するといった具合に、一見して、到達範囲の情報Ｗｒと風情報Ｗｊとを対比できるようにするとよい。なお、図３では、破線で囲った部分が到達範囲の情報Ｗｒに相当し、実線で囲った斜線部分が風情報Ｗｊに相当する。以下の各図においても同様とする。図３の例では、到達範囲の情報Ｗｒが台形状の領域として表示されている。
【００４８】
図４は、図３のアイコンと、アイコンの１つの空気吹出口に対応する到達範囲の情報Ｗｒとを示す説明図である。図４を参照して、到達範囲の情報Ｗｒと風情報Ｗｊとの関連性について説明する。アイコンＳには、矩形状の外周に沿って４つの空気吹出口が線分により簡易に示されているが、図４では、空気吹出口を示す線分のうちの１つに符号「Ｍ」を付して説明に用いる。
【００４９】
図４に示すように、空気吹出口Ｍから真っ直ぐに吹き出される風の方向を直風方向Ｄとする。すると、風情報ＷｊのＤ方向に対する左右方向の向きは、空気吹出口Ｍから吹き出される風が届く左右方向の範囲を示すものであり、左右ルーバ３５０の角度設定に対応している。また、風情報ＷｊのＤ方向の長さは、空気吹出口Ｍから吹き出される風が届く直風方向Ｄの範囲を示すものであり、本実施の形態１では、上下フラップ３４０の角度設定に対応する。すなわち、風情報Ｗｊの左右方向の幅は、制御部１１０による左右ルーバ３５０の制御に対応しており、風情報Ｗｊの直風方向Ｄの長さは、制御部１１０による上下フラップ３４０の制御に対応している。なお、図４のθは、上述した水平方向範囲角に対応する。
【００５０】
図５Ａは、図３のレイアウト画面の一部を拡大した状態において、ユーザの操作の様子を示す説明図である。図５Ｂは、図５Ａのレイアウト画面を介して入力された軌跡情報を示す説明図である。図５Ｃは、図５Ｂの軌跡情報から抽出した分断データを示す説明図である。図５Ｄは、図５Ｃの分断データをもとに作成された風情報を示す説明図である。図５Ａ〜図５Ｄを参照して、ユーザの入力操作に応じた制御部１１０の風向制御について説明する。なお、ユーザは、レイアウト画面Ｌ上でのピンチアウト又はレイアウト画面Ｌの一部を指定して抜き出す操作を行うことにより、図３のレイアウト画面の一部を拡大することができる。
【００５１】
制御部１１０は、入力部１３０が受け付けた風の到達位置の情報と、各室内機３００それぞれの配置を示す配置情報と、各空調機それぞれの機能を示す機能情報とをもとに、２つ以上の空気吹出口の風向を制御するようになっている。
【００５２】
ここで、図５Ａには、停止中の２台の室内機３００を示す２つのアイコンＳが示されている。そして、図５Ａの例では、ユーザが、レイアウト画面Ｌ上を指でなぞった場合、つまりレイアウト画面Ｌ上で、指をＦｓの位置からＦｅの位置までスライドさせた場合を例示している。よって、制御部１１０は、入力部１３０において指定された風の到達位置の情報として、図５Ｂに示すような、始点Ｐｓと終点Ｐｅとを含むひと繋がりの軌跡の情報である軌跡情報１３１を入力する。軌跡情報１３１は、ユーザによるスライド操作の開始位置から終了位置までの軌跡の情報である。
【００５３】
本実施の形態１において、制御部１１０は、表示部１４０に、レイアウト画面Ｌ上でのユーザの指の動きに追従させて、直線又は曲線により軌跡の情報を表示させるようになっている。すなわち、制御部１１０は、ユーザがスライドを開始した位置を始点Ｐｓとして認識すると共に、ユーザが指を離すまでの軌跡の情報を表示部１４０に表示させ、ユーザがスライドを終了した位置、すなわちユーザが指を離した位置を終点Ｐｅとして認識する。
【００５４】
次に、制御部１１０は、図５Ｃに示すように、軌跡情報１３１のうち、到達範囲の情報Ｗｒと重なるデータを分断データ１３２として抽出するようになっている。つまり、制御部１１０は、軌跡情報１３１のうち、各空気吹出口のそれぞれから吹き出される風の最大到達範囲内にあるデータを分断データ１３２として抽出するものである。
【００５５】
そして、制御部１１０は、抽出した分断データ１３２をもとに、２つ以上の空気吹出口の風向を制御するものである。より具体的に、制御部１１０は、抽出した分断データ１３２をもとに、分断データ１３２を含む到達範囲の情報Ｗｒに対応する空気吹出口の風向を設定し、設定した内容に基づいて各空気吹出口の風向を調整するものである。また、制御部１１０は、分断データ１３２をもとに、２つ以上の空気吹出口の制御内容を設定し、設定した制御内容を示す風情報Ｗｊを表示部１４０に表示させるものである。本実施の形態１において、制御部１１０は、図５Ｄに示すように、分断データ１３２の最遠距離を基準として、風情報Ｗｊを設定するようになっている。ここで、分断データ１３２の最遠距離とは、分断データ１３２において、アイコンＳから最も遠い位置の距離のことである。
【００５６】
図６は、図３のレイアウト画面の一部を拡大した状態において、ユーザの操作の様子を示す他の説明図である。図６には、運転中の２台の室内機３００を示す２つのアイコンＳが示されている。制御部１１０は、図６のように、室内機３００が運転中の場合、つまり空気吹出口から送風されている場合でも、ユーザがレイアウト画面Ｌ上を指でなぞると、図５Ｄに示す風向状態となるように、各空気吹出口を制御する。すなわち、制御部１１０は、図５Ｂに示すような軌跡情報１３１を入力し、図５Ｃに示すように、軌跡情報１３１から分断データ１３２を抽出して、各空気吹出口の風向を調整すると共に、図５Ｄに示すように風情報Ｗｊを表示部１４０に表示させる。
【００５７】
ここで、図５Ｂでは、制御部１１０が、軌跡情報１３１を表示部１４０に表示させる場合を例示したが、これに限らず、制御部１１０は、軌跡情報１３１を表示させないようにしてもよい。もっとも、軌跡情報１３１を表示部１４０に表示させた方が、ユーザに自身の指などの軌跡を確認させることができるため、利便性が向上する。また、図５Ｃでは、制御部１１０が、軌跡情報１３１から抽出した分断データ１３２を表示部１４０に表示させる場合を例示したが、これに限らず、制御部１１０は、分断データ１３２を表示させる処理を行わないようにしてもよい。
【００５８】
図７Ａは、図３のレイアウト画面の一部を拡大した状態において、ユーザが２つのアイコンを含む環状の軌跡情報を入力した場合を例示した説明図である。図７Ｂは、図７Ａに示す軌跡情報をもとに作成された風情報を示す説明図である。
【００５９】
ユーザが、風の到達位置の情報として、始点と終点とが一致する環状の軌跡情報１３１を指定した場合、制御部１１０は、当該環状の軌跡情報１３１の内部を対象として、２つ以上の空気吹出口の風向を制御するようになっている。図７Ａに示すように、ユーザが２つのアイコンＳを内側に含む環状の軌跡情報１３１を指定した場合、制御部１１０は、当該環状の軌跡情報１３１の内部の領域のうち、到達範囲の情報Ｗｒと重なる部分を制御領域として抽出するようになっている。そして、制御部１１０は、抽出した制御領域をもとに、各空気吹出口の風向を調整し、図７Ｂに示すような風情報Ｗｊを表示部１４０に表示させる。制御部１１０は、ユーザが２つ以上のアイコンＳを内側に含む環状の軌跡情報１３１を指定したときも、上記同様の風向制御を実行する。
【００６０】
図８Ａは、図３のレイアウト画面の一部を拡大した状態において、ユーザが１つのアイコンを含む環状の軌跡情報を入力した場合を例示した説明図である。図８Ｂは、図８Ａに示す軌跡情報をもとに作成された風情報を示す説明図である。
【００６１】
図８Ａに示すように、ユーザが１つのアイコンＳを内側に含む環状の軌跡情報１３１を指定した場合、制御部１１０は、当該環状の軌跡情報１３１の内部の領域のうち、到達範囲の情報Ｗｒと重なる部分を制御領域として抽出するようになっている。そして、制御部１１０は、抽出した制御領域をもとに、各空気吹出口の風向を調整し、図８Ｂに示すような風情報Ｗｊを表示部１４０に表示させる。制御部１１０は、軌跡情報１３１の内側の領域と重なる到達範囲の情報Ｗｒの中に、軌跡情報１３１の内側に含まれないアイコンＳに対応するものがあれば、当該到達範囲の情報Ｗｒから抽出した制御領域に向けて風を吹き出すように風向制御を実行する。
【００６２】
図９Ａは、図３のレイアウト画面の一部を拡大した状態において、ユーザがアイコンを１つも含まない環状の軌跡情報を入力した場合を例示した説明図である。図９Ｂは、図９Ａに示す軌跡情報をもとに作成された風情報を示す説明図である。
【００６３】
図９Ａに示すように、ユーザがアイコンＳを内側に含まない環状の軌跡情報１３１を指定した場合、制御部１１０は、当該環状の軌跡情報１３１の内部の領域のうち、到達範囲の情報Ｗｒと重なる部分を制御領域として抽出するようになっている。ここで、環状には、円状又は楕円状などの他、多角形状も含まれるものとする。そして、制御部１１０は、抽出した制御領域をもとに、各空気吹出口の風向を調整し、図９Ｂに示すような風情報Ｗｊを表示部１４０に表示させる。すなわち、制御部１１０は、抽出した制御領域に向けて風を吹き出すように、各空気吹出口の風向制御を実行する。
【００６４】
図７Ａ、図７Ｂ、図８Ａ、図８Ｂ、図９Ａ、及び図９Ｂでは、ユーザが環状の軌跡情報１３１を指定した場合に、制御部１１０が軌跡情報１３１の内部を対象として風向制御を行う場合を例示したが、これに限定されるものではない。すなわち、ユーザが環状の軌跡情報１３１を指定した場合であっても、制御部１１０は、軌跡情報１３１から分断データ１３２を抽出し、抽出した分断データ１３２をもとに風向制御を行うようにしてもよい。
【００６５】
以上のように、集中管理装置１００は、２つ以上の空気吹出口から吹き出される風の到達位置をレイアウト画面Ｌに対応づけて指定する操作を受け付けることにより、一度の操作で複数の空気吹出口から吹き出される風を制御することができる。そのため、複数の空気吹出口に対する一括での風向制御及び風量制御を実現することができる。また、制御部１１０は、到達位置の情報と配置情報と機能情報１７０とをもとに設定した制御内容を示す風情報Ｗｊを、配置情報に対応づけて表示部１４０に表示させる。よって、現状の制御内容又は調整後の制御内容を一見して把握することができるため、ユーザの利便性の向上を図ることができる。
【００６６】
さらに、制御部１１０は、風の到達範囲の情報Ｗｒをレイアウト画面Ｌに含めて表示部１４０に表示させることから、ユーザは、到達位置の情報を入力すべき領域を一見して把握することができるため、操作性の向上を図ることができる。また、制御部１１０は、到達範囲の情報Ｗｒと到達位置の情報との位置関係に応じて、２つ以上の空気吹出口の風向及び風量のうちの少なくとも１つを制御する。そのため、入力操作の内容を、風の制御に精度よく反映させることができる。加えて、制御部１１０は、到達範囲の情報Ｗｒを台形状の領域として表示部１４０に表示させるため、ユーザによる直感的な操作が可能となる。
【００６７】
また、集中管理装置１００は、２つ以上の空気吹出口から吹き出される風の到達位置の情報として、始点と終点とを含むひと繋がりの軌跡の情報を入力する。すなわち、制御部１１０は、入力部１３０を介して、複数の到達範囲の情報Ｗｒをまたがる軌跡情報１３１を取得し、取得した軌跡情報１３１をもとに風向制御を実行する。よって、ユーザは、複数の到達範囲の情報Ｗｒを一度の操作でまとめて指定することができるため、ユーザの利便性を高め、操作性の向上を図ることができる。
【００６８】
さらに、制御部１１０は、軌跡情報１３１から抽出した分断データ１３２をもとに風向制御を実行するため、到達範囲の情報Ｗｒと分断データ１３２との位置関係に応じた精度のよい風向調整を行うことができる。そして、制御部１１０は、軌跡情報１３１が、始点Ｐｓと終点Ｐｅとが一致する環状の情報であった場合、当該環状の内部を対象とした風向制御を実行する。よって、ユーザは、風向調整を行いたい領域を、簡易な操作によって選択することができるため、利便性及び操作性を高めることができる。加えて、入力部１３０と表示部１４０とは、互いに積層されてタッチパネルを構成しているため、レイアウト画面Ｌ上において、風向制御を行いたい範囲をなぞることにより、複数の空調機の複数の風向を調整する操作を一括で行うことができる。
【００６９】
＜変形例１−１＞
図１０は、本発明の実施の形態１の変形例１−１に係る空調システムのレイアウト画面上での入力操作の他の例を示す説明図である。上述した制御部１１０は、軌跡情報１３１の始点Ｐｓが位置する到達範囲の情報Ｗｒに対応する空気吹出口の送風状態の如何によらず、軌跡情報１３１と重なる全ての到達範囲の情報Ｗｒに対応する空気吹出口からの送風を実行させるようになっている。
【００７０】
これに対し、本変形例１−１の制御部１１０は、軌跡情報１３１の始点Ｐｓが位置する到達範囲の情報Ｗｒに対応する空気吹出口からの送風が行われている場合、軌跡情報１３１と重なる全ての到達範囲の情報Ｗｒに対応する空気吹出口の送風状態を停止状態にするようになっている。すなわち、図１０のように、軌跡情報１３１の始点が位置する到達範囲の情報Ｗｒの内部に風情報Ｗｊが表示されている場合、制御部１１０は、ユーザによるスライド操作に応じて、軌跡情報１３１と重なる全ての到達範囲の情報Ｗｒ内の風情報Ｗｊを削除する。これにより、図１０の表示状態から、風情報Ｗｊが削除された図５Ａの表示状態に変化する。
【００７１】
一方、本変形例１−１の制御部１１０は、軌跡情報１３１の始点が位置する到達範囲の情報Ｗｒに対応する空気吹出口からの送風が停止している場合、軌跡情報１３１と重なる全ての到達範囲の情報Ｗｒに対応する空気吹出口の送風状態を運転状態にするようになっている。すなわち、軌跡情報１３１の始点が位置する到達範囲の情報Ｗｒに対応する空気吹出口からの送風が停止していれば、本変形例１−１の制御部１１０も、軌跡情報１３１に応じた風向制御を実行する。
【００７２】
以上のように、本変形例１−１の集中管理装置１００は、運転状態にある空気吹出口に対応する到達範囲の情報Ｗｒからスライド操作を始めれば、スライド操作に対応する全ての空気吹出口を停止状態にすることができる。すなわち、ユーザは、到達範囲の情報Ｗｒ内の風情報Ｗｊの表示の有無を確認して、スライド操作を開始する到達範囲の情報Ｗｒを選定することにより、空気吹出口の送風状態の切り替えを簡易かつ迅速に行うことができる。
【００７３】
実施の形態２．
本実施の形態２の空調システムの構成は、前述した実施の形態１と同様である。実施の形態１と同様の構成部材については、同一の符号を用いて説明は省略する。本実施の形態２における集中管理装置１００は、部屋又は空間のようなゾーンで区切られたフロアにおいて、ゾーン単位での空調機の風向操作を行うことができる。
【００７４】
図１１は、本発明の実施の形態２に係る集中管理装置の記憶部が記憶するゾーン情報を例示する説明図である。図１１には、各ゾーン間の区切りが示されており、各ゾーンは、後述する図１２Ａ〜１２Ｃの各部屋に対応している。ゾーン情報の各ゾーンは、画像ファイルで指定してもよいし、座標で指定してもよい。
【００７５】
本実施の形態２において、記憶部１５０は、各部屋をゾーンで区切ったゾーン情報を記憶している。ゾーン情報は、各空調機それぞれの配置を示す配置情報に対応づけられている。制御部１１０は、ゾーン情報をもとに、軌跡情報１３１が２以上の部屋にまたがるか否かを判定するものである。制御部１１０は、軌跡情報１３１が２以上の部屋にまたがると判定した場合、軌跡情報１３１から始点Ｐｓを含む部屋内の部分以外を削除した上で分断データ１３２を抽出するものである。すなわち、制御部１１０は、軌跡情報１３１から始点Ｐｓを含む部屋内の部分を抜き出し、抜き出した軌跡情報１３１の一部から分断データ１３２を抽出するものである。
【００７６】
図１２Ａは、本発明の実施の形態２に係る集中管理装置の表示部に表示されるレイアウト画面を例示した説明図である。図１２Ｂは、図１２Ａの軌跡情報から抽出した分断データを示す説明図である。図１２Ｃは、図１２Ｂの分断データをもとに作成された風情報を示す説明図である。図１２Ａ〜図１２Ｃのレイアウト画面Ｌには、レイアウト図として、部屋Ｒ１〜Ｒ５、廊下Ｃ、及び各部屋間又は各部屋と廊下Ｃとの間の仕切りＫが表示されている。図１２Ａ〜図１２Ｃでは、ワンフロアの複数の部屋のそれぞれに、一台又は二台以上の室内機３００が設けられている状況を例示している。
【００７７】
図１２Ａの部屋Ｒ２に示す白抜き矢印のように、ユーザがレイアウト画面Ｌ上でスライド操作を行ったとき、スライド操作の軌跡が部屋Ｒ２と部屋Ｒ１とにまたがったとする。そして、制御部１１０が、図１２Ａに示すような、部屋Ｒ２の始点Ｐｓから部屋Ｒ１の終点Ｐｅまで伸びる軌跡情報１３１を入力部１３０から入力したとする。この場合、制御部１１０は、軌跡情報１３１が２つの部屋にまたがると判定する。よって、制御部１１０は、軌跡情報１３１から始点Ｐｓを含む部屋内の部分以外を削除する。図１２Ａの場合、制御部１１０は、軌跡情報１３１の部屋Ｒ１にある部分を削除し、軌跡情報１３１から部屋Ｒ２にある部分を取り出す。
【００７８】
次いで、制御部１１０は、図１２Ｂに示すように、部屋Ｒ２にある軌跡情報１３１から、到達範囲の情報Ｗｒと重なるデータを分断データ１３２として抽出する。つまり、制御部１１０は、軌跡情報１３１のうち、部屋Ｒ２にある到達範囲の情報Ｗｒと重なる除外データ１３２ｚについては、分断データ１３２として抽出しない。そして、制御部１１０は、抽出した分断データ１３２をもとに、分断データ１３２を含む到達範囲の情報Ｗｒに対応する空気吹出口の風向を設定し、設定した内容に基づいて各空気吹出口の風向を調整すると共に、設定した内容を示す風情報Ｗｊを、図１２Ｃのように表示部１４０に表示させる。
【００７９】
また、図１２Ａの部屋Ｒ４から部屋Ｒ５に亘る白抜き矢印のように、ユーザがレイアウト画面Ｌ上でスライド操作を行い、スライド操作の軌跡が部屋Ｒ４と部屋Ｒ５とにまたがったとする。そして、制御部１１０が、図１２Ａに示すような、部屋Ｒ４の始点Ｐｓから部屋Ｒ５の終点Ｐｅまで伸びる軌跡情報１３１を入力部１３０から入力したとする。この場合、軌跡情報１３１が２つの部屋にまたがっているため、制御部１１０は、軌跡情報１３１の部屋Ｒ５にある部分を削除し、軌跡情報１３１から部屋Ｒ１にある部分を取り出す。次いで、制御部１１０は、図１２Ｂに示すように、部屋Ｒ４にある軌跡情報１３１から、到達範囲の情報Ｗｒと重なるデータを分断データ１３２として抽出する。
【００８０】
制御部１１０は、抽出した分断データ１３２をもとに、分断データ１３２を含む到達範囲の情報Ｗｒに対応する空気吹出口の風向を設定する。そして、制御部１１０は、設定した内容に基づいて各空気吹出口の風向を調整すると共に、設定した内容を示す風情報Ｗｊを、図１２Ｃのように表示部１４０に表示させる。
【００８１】
以上のように、ユーザが入力部１３０を介して操作したい範囲を軌跡情報１３１として入力し、軌跡情報１３１がゾーンをまたいで別のゾーンに到達したとき、制御部１１０は、軌跡情報１３１から別のゾーンのデータを削除する。よって、最初に入力操作を開始した位置のゾーンの軌跡の情報のみが軌跡情報１３１として残るため、ゾーン内の空調機のみに対する風向制御を実現することができる。
【００８２】
すなわち、本実施の形態２では、制御部１１０が、ゾーン情報を用いて軌跡情報１３１の取捨選択を行うようになっている。そのため、部屋の隅又は区画の分かれ目のような位置の操作をする際に、ユーザが他のゾーンの空調機の到達範囲の情報Ｗｒを誤ってなぞっても、他のゾーンの空調機に影響を与えない。よって、誤操作を防ぐことができ、ユーザが安心して操作を行うことができるため、操作性の向上を図ることができる。つまり、本実施の形態２の集中管理装置１００によれば、ユーザがゾーンの内外を意識した操作を行うことができるため、簡易で且つよりきめ細やかなゾーンごとの操作を実現することができる。
【００８３】
ところで、上記の説明では、ゾーンをまたいだときに軌跡情報を削除する場合を例示したが、制御部１１０は、特定の組み合わせのゾーンについては、またいでも削除しないようにしてもよい。また、集中管理装置１００は、ゾーンをまたいだときに、軌跡情報１３１から始点Ｐｓを含むゾーン以外の部分を削除するか否かを選択的に設定できるようにしてもよい。
【００８４】
加えて、ゾーン情報は、各部屋の仕切りの情報であってもよい。そして、制御部１１０は、軌跡情報１３１が仕切りの情報と交わるか否かを判定するようにしてもよい。そして、制御部１１０は、軌跡情報１３１が仕切りの情報と交わる場合、軌跡情報１３１から始点Ｐｓを含む部屋内の部分以外を削除した上で分断データ１３２を抽出するようにしてもよい。
【００８５】
また、図１２Ａでは、制御部１１０が、軌跡情報１３１を表示部１４０に表示させる場合を例示したが、これに限らず、制御部１１０は、軌跡情報１３１を表示させないようにしてもよい。また、図１２Ｂでは、制御部１１０が、軌跡情報１３１から抽出した分断データ１３２を表示部１４０に表示させる場合を例示したが、これに限らず、制御部１１０は、分断データ１３２を表示させる処理を行わないようにしてもよい。なお、除外データ１３２ｚは説明のために示したものであり、表示部１４０に表示されるものではない。
【００８６】
＜変形例２−１＞
図１３は、本発明の実施の形態２の変形例２−１に係る空調システムのレイアウト画面上での入力操作の例を示す説明図である。本変形例２−１の制御部１１０は、軌跡情報１３１が２以上の部屋にまたがる場合、軌跡情報１３１の始点Ｐｓが位置する到達範囲の情報Ｗｒに対応する空気吹出口の送風状態を、軌跡情報１３１と重なる他の到達範囲の情報Ｗｒのそれぞれに対応する空気吹出口の送風状態に反映させる。
【００８７】
例えば、図１３の例のように、軌跡情報１３１が部屋Ｒ３と部屋Ｒ４とにまたがる場合において、始点Ｐｓが位置する到達範囲の情報Ｗｒに対応する空気吹出口からの送風が停止していれば、部屋Ｒ４の到達範囲の情報Ｗｒのそれぞれに対応する空気吹出口の送風状態を停止状態にする。つまり、始点Ｐｓが位置する到達範囲の情報Ｗｒに風情報Ｗｊが表示されていないときは、ユーザが白抜き矢印のようにスライド操作を行うことで、制御部１１０が部屋Ｒ４の風情報Ｗｊを消去し、図１２Ａのような状態にする。以上のように、あるゾーンの空調機の送風状態を、他のゾーンの空調機の送風状態に反映することができるため、特に空気吹出口の送風状態を停止状態にしたい場合の操作性の向上を図ることができる。
【００８８】
実施の形態３．
本実施の形態３の空調システムの構成は、上述した実施の形態１及び２と同様であるため、実施の形態１及び２と同様の構成部材については、同一の符号を用いて説明は省略する。本実施の形態３における制御部１１０は、入力部１３０において、軌跡情報１３１の始点Ｐｓでの長押し操作があった場合、始点Ｐｓの箇所に対応する空気吹出口の風向を制御するようになっている。なお、本実施の形態３においても、入力部１３０と表示部１４０とがタッチパネルを構成しているため、長押し操作はロングタップに相当する。以下、図面を説明して具体的に説明する。
【００８９】
図１４Ａは、本発明の実施の形態３に係る集中管理装置のレイアウト画面に対する、ユーザの長押しを伴う操作を示す説明図である。図１４Ｂは、図１４Ａの操作による風情報の変化を示す説明図である。図１４Ａでは、ユーザの長押し操作を、便宜上、符号「Ｎ」を付した白抜きの円で示している。図１６Ａ及び図１７Ａでも同様である。
【００９０】
図１４Ａに示すように、ユーザが、風情報Ｗｊに対して長押し操作を行った後に、左右方向へのスライド操作を行った場合、制御部１１０は、空気吹出口の風向をスライド操作の方向に移動させる。すなわち、制御部１１０は、ユーザの入力操作に応じて、左右ルーバ３５０の角度を調整すると共に、図１４Ｂのように風情報Ｗｊを変化させる。
【００９１】
図１５Ａは、本発明の実施の形態３に係る集中管理装置のレイアウト画面に対するユーザの操作を示す説明図である。図１５Ｂは、図１５Ａの操作による風情報の変化を示す説明図である。図１５Ａ及び図１５Ｂでは、風情報Ｗｊの変化を図１４Ａ及び図１４Ｂと対比するために、図１５Ａの指の軌跡を図１４Ａの指の軌跡と同一にしている。図１５Ａに示すように、ユーザが、風情報Ｗｊに対して長押し操作を行うことなく、左右方向へのスライド操作を行った場合、制御部１１０は、スライド操作の軌跡情報１３１をもとに、左右ルーバ３５０の角度を調整し、図１５Ｂのように風情報Ｗｊを変化させる。すなわち、ユーザが長押し操作を伴わないスライド操作を行った場合、実施の形態１において図５Ａ〜図５Ｄを参照して説明した、複数の空気吹出口に対する一括での風向制御を実行する。
【００９２】
図１６Ａは、本発明の実施の形態３に係る集中管理装置のレイアウト画面に対する、ユーザの長押しを伴う他の操作を示す説明図である。図１６Ｂは、図１６Ａの操作による風情報の変化を示す説明図である。図１６Ａに示すように、ユーザが、風情報Ｗｊに対して長押し操作を行った後、風情報ＷｊがアイコンＳから外側に向かう方向へのスライド操作を行った場合、制御部１１０は、空気吹出口の風向をスライド操作の方向に移動させる。ここで、風情報ＷｊがアイコンＳから外側に向かう方向を外向方向とする。すなわち、制御部１１０は、ユーザの入力操作に応じて、上下フラップ３４０の角度を調整すると共に、図１６Ｂのように風情報Ｗｊを変化させる。
【００９３】
図１７Ａは、本発明の実施の形態３に係る集中管理装置のレイアウト画面に対する、ユーザの長押しを伴う別の操作を示す説明図である。図１７Ｂは、図１７Ａの操作による風情報の変化を示す説明図である。図１７Ａに示すように、ユーザが、風情報Ｗｊに対して長押し操作を行った後、左右方向に移動させながら外向方向に移動させるスライド操作を行った場合、制御部１１０は、空気吹出口の風向を左右方向と外向方向とに移動させる。すなわち、制御部１１０は、ユーザの入力操作に応じて、上下フラップ３４０及び左右ルーバ３５０の角度を調整すると共に、図１７Ｂのように風情報Ｗｊを変化させる。
【００９４】
図１８Ａは、本発明の実施の形態３に係る集中管理装置のレイアウト画面に対する、ユーザの長押しを伴うその他の操作を示す説明図である。図１８Ｂは、図１８Ａの操作による風情報の変化を示す説明図である。図１８Ａは、ユーザが、風情報Ｗｊに対して２本の指を当てて外側に広げる操作、すなわちピンチアウトを行った場合を例示している。図１８Ａに示すように、風情報Ｗｊが左右方向と外向方向との双方に広がるようにピンチアウトを行った場合、制御部１１０は、空気吹出口の左右方向の風向と外向方向の風向とを調整する。すなわち、制御部１１０は、ユーザの入力操作に応じて、上下フラップ３４０及び左右ルーバ３５０の角度を調整すると共に、図１８Ｂのように風情報Ｗｊを変化させる。
【００９５】
以上のように、本実施の形態３の集中管理装置１００は、複数の空気吹出口に対する一括での風向操作と、１つの空気吹出口に対する個別での風向操作とを、長押し操作の有無によって切り替えるようになっている。すなわち、制御部１１０は、複数の空気吹出口に対する一括での風向操作と、１つの空気吹出口に対する個別での風向操作とを、長押し操作が存在するか否かによって識別する。より具体的に、制御部１１０は、ユーザが操作開始時に長押し操作を行うと、長押しの位置の風向設定を個別操作する個別操作モードとなる。そして、個別操作モードになった後で、引き続きスライド操作を行うと、到達範囲の情報Ｗｒ内での風情報Ｗｊの移動又は拡張が可能となる。そして、移動又は拡張後の風情報Ｗｊに基づく空気吹出口の風向制御を行うことができる。
【００９６】
したがって、本実施の形態３の集中管理装置１００によれば、より細かな風向操作を実現することができるため、ユーザの利便性及び操作性の向上を図ることができる。例えば、複数の空気吹出口に対する一括での風向操作を行って、大まかに風向を設定した後、１つの空気吹出口に対する個別での風向操作を行って微調整を行うといった段階的な操作を行うこともできる。すなわち、ユーザは、操作モードの変更操作を別途行うことなく、きめ細かな操作を容易に行うことができる。なお、集中管理装置１００のポインティングデバイスがタッチパネルの場合、長押し後に指をスライドさせる操作は「ドラッグ」に相当する。
【００９７】
実施の形態４．
本実施の形態４の空調システムの構成は、図１の構成と同様であるため、実施の形態１〜３と同様の構成部材については、同一の符号を用いて説明は省略する。本実施の形態４の空調システム１０は、リモートコントローラ４００が集中管理装置１００と同様の機能を有している。本実施の形態４におけるリモートコントローラ４００は、本発明の「制御機器」に相当する。
【００９８】
図１９は、本発明の実施の形態４の空調システムのリモートコントローラの機能的構成を例示したブロック図である。本実施の形態４のリモートコントローラ４００は、制御部４１０と、通信部４２０と、入力部４３０と、表示部４４０と、記憶部４５０と、を有している。そして、制御部４１０は、実施の形態１〜３における集中管理装置１００の制御部１１０と同様に構成されている。また、通信部４２０、入力部４３０、表示部４４０、及び記憶部４５０は、それぞれ、実施の形態１〜３における集中管理装置１００の通信部１２０、入力部１３０、表示部１４０、及び記憶部１５０と同様に構成されている。
【００９９】
よって、ユーザは、リモートコントローラ４００を介して、複数の空気吹出口に対する一括での風向制御を行うことができる。すなわち、２つ以上の空気吹出口から吹き出される風の到達位置をレイアウト画面Ｌに対応づけて指定する操作を受け付けることにより、一度の操作で複数の空気吹出口の風向制御を行うことができるため、複数の空気吹出口に対する一括での風向制御を実現することができる。他の効果は、実施の形態１〜３と同様である。なお、リモートコントローラ４００は、集中管理装置１００と連携して風向制御を行うようにしてもよい。
【０１００】
実施の形態５．
図２０は、本発明の実施の形態５に係る空調システムの構成を例示するブロック図である。本実施の形態５の空調システム１０Ａは、集中管理装置１００と無線により接続される情報端末６００が集中管理装置１００と同様の機能を有している。本実施の形態５の空調システム１０Ａの他の構成は、図１の構成と同様であるため、実施の形態１〜４と同様の構成部材については、同一の符号を用いて説明は省略する。
【０１０１】
情報端末６００は、例えば、タブレットＰＣ（Ｐｅｒｓｏｎａｌ  Ｃｏｍｐｕｔｅｒ）、スマートフォン、携帯電話、ＰＤＡ（Ｐｅｒｓｏｎａｌ  Ｄｉｇｉｔａｌ  Ａｓｓｉｓｔａｎｔ）、又はノートＰＣ等のように、ユーザが携行できる機器である。情報端末６００は、Ｂｌｕｅｔｏｏｔｈ（登録商標、以下同様）、ＷｉＦｉ（登録商標、以下同様）等の無線ＬＡＮ、又はＺｉｇＢｅｅ（登録商標、以下同様）など、任意の通信規格により情報通信を行う機能を有している。情報端末６００は、集中管理装置１００との間で無線による通信を行うことができる。
【０１０２】
情報端末６００は、ネットワークを介して、外部のサーバ（図示せず）から、情報端末６００を複数の空調機の制御用のコントローラとして機能させるための空調制御プログラム１９０をダウンロードし、インストールしているものとする。外部のサーバは、クラウドコンピューティングに基づくクラウドサーバ、又はＷｅｂサーバ等の物理サーバなどによって構成されており、空調制御プログラム１９０を格納し管理するものである。情報端末６００は、空調制御プログラム１９０をインストールすることにより、集中管理装置１００と連携して、複数の空調機の遠隔操作などを行うことができる。情報端末６００は、本発明の「制御機器」に相当する。
【０１０３】
図２１は、図２０の情報端末の機能的構成を例示したブロック図である。情報端末６００は、制御部６１０と、通信部６２０と、入力部６３０と、表示部６４０と、記憶部６５０と、を有している。そして、制御部６１０は、実施の形態１〜３における集中管理装置１００の制御部１１０と同様に機能する。また、通信部４２０、入力部４３０、表示部４４０、及び記憶部４５０は、それぞれ、実施の形態１〜３における集中管理装置１００の通信部１２０、入力部１３０、表示部１４０、及び記憶部１５０と同様に構成されている。
【０１０４】
よって、ユーザは、情報端末６００を介して、複数の空気吹出口に対する一括での風向制御を行うことができる。すなわち、風の到達位置をレイアウト画面Ｌに対応づけて指定する操作を受け付けることにより、一度の操作で複数の空気吹出口の風向制御を行うことができるため、複数の空気吹出口に対する一括での風向制御を実現することができる。他の効果は、実施の形態１〜４と同様である。
【０１０５】
本実施の形態５では、情報端末６００が、集中管理装置１００との間で無線による通信を行う場合を例示したが、これに限らず、情報端末６００は、リモートコントローラ４００との間で無線による通信を行うようにしてもよい。そして、情報端末６００は、リモートコントローラ４００を介して集中管理装置１００との通信を行うようにしてもよい。
【０１０６】
上述した各実施の形態は、制御機器及び空調システムにおける好適な具体例であり、本発明の技術的範囲は、これらの態様に限定されるものではない。例えば、上記各実施の形態では、風情報ＷｊのＤ方向の長さが、上下フラップ３４０の角度設定に対応する場合を例示したが、これに限らず、風情報ＷｊのＤ方向の長さは、上下フラップ３４０の角度設定及び送風機３３０の回転数のうちの少なくとも１つを示すものであってよい。すなわち、制御部１１０、４１０、及び６１０は、入力部１３０が受け付けた到達位置の情報と配置情報と機能情報とをもとに、２つ以上の空気吹出口の風向及び風量のうちの少なくとも１つを制御するようにしてもよい。この場合、風情報Ｗｊは、現在設定されている風向及び風向を示す情報である。
【０１０７】
例えば、風情報ＷｊのＤ方向の長さが、送風機３３０の回転周波数を示す場合、風情報ＷｊのＤ方向の長さは、空気吹出口の風量に対応する。つまり、風情報Ｗｊの直風方向Ｄの長さは、制御部１１０、４１０、及び６１０による送風機３３０の制御に対応することとなる。また、風情報ＷｊのＤ方向の長さが、上下フラップ３４０の角度設定及び送風機３３０の回転周波数を示す場合、風情報ＷｊのＤ方向の長さは、直風方向Ｄの風向及び風量に対応する。つまり、風情報Ｗｊの直風方向Ｄの長さは、制御部１１０、４１０、及び６１０による上下フラップ３４０及び送風機３３０の制御に対応することとなる。すなわち、制御部１１０、４１０、及び６１０は、風情報Ｗｊの左右方向の幅に対応づけて、左右ルーバ３５０の角度を調整し、風情報Ｗｊの直風方向Ｄの長さに対応づけて、上下フラップ３４０の角度及び送風機３３０の回転周波数のうちの少なくとも１つを調整するように構成してもよい。
【０１０８】
このようにすれば、風の到達位置をレイアウト画面Ｌに対応づけて指定する操作を受け付けることにより、一度の操作で複数の空気吹出口から吹き出される風を制御することができるため、複数の空気吹出口に対する一括での風向制御及び風量制御を実現することができる。
【０１０９】
図３等では、到達範囲の情報Ｗｒが台形状の領域として表示される場合を例示したが、これに限らず、到達範囲の情報Ｗｒは、扇形状、楕円状、又はアイコンＳ側を凸とした放物線状の領域として表示されるようにしてもよい。
【０１１０】
図３等では、レイアウト画面Ｌに、レイアウト図が含まれる場合を例示したが、これに限らず、レイアウト画面Ｌは、レイアウト図を含んでいなくてもよい。ただし、レイアウト画面Ｌがレイアウト図を含むようにすれば、ユーザに部屋の仕切り等を視認させることができるため、操作性が向上する。同様に、レイアウト画面Ｌは、到達範囲の情報Ｗｒを含んでいなくてもよい。ただし、レイアウト画面Ｌが到達範囲の情報Ｗｒを含むようにすれば、ユーザがより精度よく風向調整等のための入力操作を行うことができる。
【０１１１】
上記各実施の形態では、指で入力操作を行う場合を例示したが、これに限らず、タッチペンなどで入力操作を行うようにしてもよい。加えて、入力部１３０、４３０、及び６３０は、タッチパッド、又はトラックボールなどのポインティングデバイスであってもよい。すなわち、入力部１３０、４３０、及び６３０は、入力操作を受け付けるポインティングデバイスとしての機能を有していればよい。また、入力部１３０、４３０、及び６３０は、マウスなどを介して入力操作を受け付けるＵＳＢポートなどの入力ポートであってもよい。つまり、入力部１３０と表示部１４０、入力部４３０と表示部４４０、入力部６３０と表示部６４０は、分離して構成されていてもよい。
【０１１２】
図１及び図２０では、空調システム１０及び１０Ａが、２台の室外機２００と、６台の室内機３００と、を有する場合を例示したが、室外機２００の台数と室内機３００の台数との組み合わせはこれに限定されるものではない。また、図１及び図２０では、１台の換気機器５００を例示したが、これに限らず、空調システム１０及び１０Ａは、複数台の換気機器５００を有していてもよい。
【０１１３】
図１では、集中管理装置１００に、室外機２００、室内機３００、リモートコントローラ４００、及び換気機器５００といった設備機器が接続されている場合を例示しているが、これに限定されるものではない。例えば、集中管理装置１００には、本発明の「空調機」として、室内機の機能と室外機の機能とを組み合わせた一体型の空調機、空気中に浮遊する粉塵などを除去する空気清浄機、又は空調対象空間の空気を加湿する加湿器などが接続されていてもよい。また、集中管理装置１００には、給湯器、床暖房、テレビ、デジタルテレビ、ＤＶＤレコーダ、ステレオ、及び照明器具などの設備機器が接続され、これらが集中管理装置１００を介して操作されるようにしてもよい。
【０１１４】
図３等では、天井埋込カセット形４方向の室内機３００を例示したが、これに限らず、室内機３００は、天井埋込カセット形２方向の室内機、又は天井埋込カセット形１方向の室内機であってもよい。また、室内機３００は、天井埋込形に限らず、壁掛形又は床置形の室内機であってもよい。
【０１１５】
図１及び図２０では、リモートコントローラ４００Ａ及び４００Ｂが、室内機３００等に対し、有線で接続されている場合を例示したが、これに限らず、リモートコントローラ４００Ａ及び４００Ｂは、室内機３００等に対し、無線で接続されるようにしてもよい。
【符号の説明】
【０１１６】
１０、１０Ａ  空調システム、１１〜１４  通信線、１００  集中管理装置、１１０、４１０、６１０  制御部、１２０、４２０、６２０  通信部、１３０、４３０、６３０  入力部、１３１  軌跡情報、１３２  分断データ、１３２ｚ  除外データ、１４０、４４０、６４０  表示部、１５０、４５０、６５０  記憶部、１６０  レイアウト情報、１７０  機能情報、１８０  動作情報、２００、２００Ａ、２００Ｂ  室外機、２１０  室外制御部、２２０  圧縮機、３００  室内機、３１０  室内制御部、３２０  減圧装置、３３０  送風機、３４０  上下フラップ、３４０ａ  上下駆動部、３５０  左右ルーバ、３５０ａ  左右駆動部、４００、４００Ａ、４００Ｂ  リモートコントローラ、５００  換気機器、５１０  換気制御部、６００  情報端末、Ｐｅ  終点、Ｐｓ  始点、Ｗｊ  風情報、Ｗｒ  到達範囲の情報。
【図１】
0006685467.tif 000002
【図２】
0006685467.tif 000003
【図３】
0006685467.tif 000004
【図４】
0006685467.tif 000005
【図５Ａ】
0006685467.tif 000006
【図５Ｂ】
0006685467.tif 000007
【図５Ｃ】
0006685467.tif 000008
【図５Ｄ】
0006685467.tif 000009
【図６】
0006685467.tif 000010
【図７Ａ】
0006685467.tif 000011
【図７Ｂ】
0006685467.tif 000012
【図８Ａ】
0006685467.tif 000013
【図８Ｂ】
0006685467.tif 000014
【図９Ａ】
0006685467.tif 000015
【図９Ｂ】
0006685467.tif 000016
【図１０】
0006685467.tif 000017
【図１１】
0006685467.tif 000018
【図１２Ａ】
0006685467.tif 000019
【図１２Ｂ】
0006685467.tif 000020
【図１２Ｃ】
0006685467.tif 000021
【図１３】
0006685467.tif 000022
【図１４Ａ】
0006685467.tif 000023
【図１４Ｂ】
0006685467.tif 000024
【図１５Ａ】
0006685467.tif 000025
【図１５Ｂ】
0006685467.tif 000026
【図１６Ａ】
0006685467.tif 000027
【図１６Ｂ】
0006685467.tif 000028
【図１７Ａ】
0006685467.tif 000029
【図１７Ｂ】
0006685467.tif 000030
【図１８Ａ】
0006685467.tif 000031
【図１８Ｂ】
0006685467.tif 000032
【図１９】
0006685467.tif 000033
【図２０】
0006685467.tif 000034
【図２１】
0006685467.tif 000035